(57)【要約】 【課題】  本発明は、記録再生装置等の電子機器に備えられている特定端子から出力される情報を、複数の利用者が第３者に迷惑を掛けることなく知得可能な構造を持つことができる。【解決手段】  コネクタ１００ａは、その一端側１２０ａに本体端子Ｔ１１ａ，Ｔ１２ａ，Ｔ１３ａを備えるとともに、他端側１３０ａに本体端子Ｔ２１ａ，Ｔ２２ａ，Ｔ２３ａを備えている。一端側１２０ａに備えられている本体端子Ｔ１１ａ，Ｔ１２ａ，Ｔ１３ａ又は他端側１３０ａに備えられている本体端子Ｔ２１ａ，Ｔ２２ａ，Ｔ２３ａがそれぞれに対応するコネクタ１００ｂの端子に接触された状態で、磁石１４０ａの吸着力によりコネクタ１００ａがコネクタ１００ｂに支持される。【選択図】      図１
2006210269.tif 000002
【特許請求の範囲】
【請求項１】
他のコネクタに対して着脱可能に電気的に接続されるコネクタであって、
導電性材料から成る本体端子を一端側及び他端側に備える本体部と、
前記一端側又は前記他端側に備えられている本体端子を前記他のコネクタ側の端子に接触した状態で、前記本体部を前記他のコネクタに対して着脱可能に支持する支持部と
を備えることを特徴とするコネクタ。
【請求項２】
前記本体端子は、同心円状に形成された円形電極を備えており、前記他のコネクタ側の端子は、前記支持部により該他のコネクタが前記本体部に支持された場合に前記円形電極上に配置されることを特徴とする請求項１に記載のコネクタ。
【請求項３】
他のコネクタに対して着脱可能に電気的に接続されるコネクタであって、
導電性材料から成る本体端子を一端側又は他端側に備える本体部と、
前記一端側又は前記他端側に備えられている本体端子を前記他のコネクタ側の端子に接触した状態で、前記本体部を前記他のコネクタに対して着脱可能に支持する支持部と
を備え、
前記本体端子は、同心円状に形成された円形電極を備えており、前記他のコネクタ側の端子は、前記支持部により該他のコネクタが前記本体部に支持された場合に前記円形電極上に配置されることを特徴とするコネクタ。
【請求項４】
前記一端側又は前記他端側に備えられている本体端子が前記他のコネクタ側の端子に接触可能な位置を決める位置決め部を備えることを特徴とする請求項１又は請求項３のいずれかに記載のコネクタ。
【請求項５】
前記本体部は円柱状部材を該本体部の一端側に備え、該本体部の一端側に備えられている本体端子は該円柱状部材の先端面に備えられており、
前記位置決め部は、前記円柱状部材の側面に沿う窪みを備えることを特徴とする請求項４に記載のコネクタ。
【請求項６】
前記円柱状部材の先端面は略半球状に形成されており、
前記位置決め部は、前記円柱状部材の略半球状の先端面に沿う窪みを備えることを特徴とする請求項５に記載のコネクタ。
【請求項７】
前記支持部は、磁石と該磁石により磁気的に吸着される金属材料とを備えることを特徴とする請求項１又は請求項３のいずれかに記載のコネクタ。
【請求項８】
前記本体部は、音の出力を調整可能な調整部を備えることを特徴とする請求項１又は請求項３のいずれかに記載のコネクタ。
【請求項９】
前記本体部は、前記他のコネクタ側の略筒状の雌端子に嵌合する略棒状の雄端子を備えることを特徴とする請求項１又は請求項３のいずれかに記載のコネクタ。
【請求項１０】
前記本体部は、前記他のコネクタ側の略棒状の雄端子に嵌合する略筒状の雌端子を備えることを特徴とする請求項１又は請求項３のいずれかに記載のコネクタ。
【発明の詳細な説明】
【技術分野】
【０００１】
本発明は、他のコネクタに対して着脱可能に電気的に接続されるコネクタに関する。
【背景技術】
【０００２】
従来から、記録媒体を再生することにより音を出力可能な記録再生装置が提供されている（例えば、特許文献１参照）。利用者は、ヘッドホン装置に備えられているコネクタを記録再生装置に備えられている端子に挿入することにより、ヘッドホン装置を介して記録再生装置から出力される音を聴くことができる。
【特許文献１】特開平１１−４５５５８号公報
【発明の開示】
【発明が解決しようとする課題】
【０００３】
しかしながら、記録再生装置に備えられているヘッドホン装置用の端子は１つしか備えられていないため、複数の利用者が記録再生装置から出力される音を聴くためには、当該複数の利用者は、ヘッドホン装置を用いずに記録再生装置から出力される音を聴くこととなり、第３者に迷惑を掛けることがあった。
【０００４】
一方、記録再生装置に備えられているヘッドホン装置用の端子が複数備えられていれば、複数の利用者は、第３者に迷惑を掛けることなく、ヘッドホン装置を用いて記録再生装置から出力される音を聴くことが可能となる。ところが、記録再生装置に備えられているヘッドホン装置用の端子が複数備えられると、複数の端子が備えられるためのスペースが必要となり、記録再生装置の小型化がし難くなる。
【０００５】
そこで、本発明は以上の点に鑑みてなされたものであり、記録再生装置等の電子機器に備えられている特定端子から出力される情報を、複数の利用者が第３者に迷惑を掛けることなく知得可能な構造を持つコネクタを提供することを目的とする。
【課題を解決するための手段】
【０００６】
本発明は、上記課題を解決するために、他のコネクタに対して着脱可能に電気的に接続されるコネクタであって、導電性材料から成る本体端子を一端側及び他端側に備える本体部と、一端側又は他端側に備えられている本体端子を他のコネクタ側の端子に接触した状態で、本体部を他のコネクタに対して着脱可能に支持する支持部とを備えることを特徴とする。
【０００７】
このような本発明によれば、一端側又は他端側に備えられている本体端子が他のコネクタ側の端子に接触された状態で、本体部が他のコネクタに対して着脱可能に支持されることにより、他のコネクタが本体部に連接可能となり、電子機器の端子から出力された信号が本体部に接続された配線を介して出力されるだけでなく、他のコネクタに接続された配線を介しても出力されるため、複数の利用者は、コネクタ及び他のコネクタを介して電子機器の端子から出力される情報を第３者に迷惑を掛けることなく知得することができる。
【０００８】
上記発明においては本体端子は、同心円状に形成された円形電極を備えており、他のコネクタ側の端子は、支持部により該他のコネクタが本体部に支持された場合に円形電極上に配置されてもよい。この場合には、他のコネクタが本体部に支持された場合に、他のコネクタ側の端子が本体部に備えられた本体端子の円形電極上に配置されることにより、本体部が他のコネクタに対して回転されても、本体部の本体端子が他のコネクタ側の端子上に常に配置されるため、利用者は、コネクタ又は他のコネクタを回転させることによりコネクタ又は他のコネクタに接続されている配線の捩れを容易に解消することができる。
【０００９】
本発明は、他のコネクタに対して着脱可能に電気的に接続されるコネクタであって、導電性材料から成る本体端子を一端側又は他端側に備える本体部と、一端側又は他端側に備えられている本体端子を他のコネクタ側の端子に接触した状態で、本体部を他のコネクタに対して着脱可能に支持する支持部とを備え、本体端子は、同心円状に形成された円形電極を備えており、他のコネクタ側の端子は、支持部により該他のコネクタが本体部に支持された場合に円形電極上に配置されることを特徴とする。
【００１０】
このような本発明によれば、一端側又は他端側に備えられている本体端子が他のコネクタ側の端子に接触された状態で、本体部が他のコネクタに対して着脱可能に支持されることにより、他のコネクタが本体部に連接可能となり、電子機器の端子から出力された信号が本体部に接続された配線を介して出力されるだけでなく、他のコネクタに接続された配線を介しても出力されるため、複数の利用者は、コネクタ及び他のコネクタを介して電子機器の端子から出力される情報を第３者に迷惑を掛けることなく知得することができる。
【００１１】
また、他のコネクタが本体部に支持された場合に、他のコネクタ側の端子が本体部に備えられた本体端子の円形電極上に配置されることにより、本体部が他のコネクタに対して回転されても、本体部の本体端子が他のコネクタ側の端子上に常に配置されるため、利用者は、コネクタ又は他のコネクタを回転させることによりコネクタ又は他のコネクタに接続されている配線の捩れを容易に解消することができる。
【００１２】
上記発明においては一端側又は他端側に備えられている本体端子が他のコネクタ側の端子に接触可能な位置を決める位置決め部が備えられてもよい。この場合には、本体部が他のコネクタに支持される前に、一端側又は他端側に備えられている本体端子が位置決め部により位置決めされるため、利用者は、本体部に対する他のコネクタの位置を早期に決定でき、本体部を他のコネクタに支持させるまでの負担を軽減することができる。
【００１３】
上記発明においては本体部は円柱状部材を該本体部の一端側に備え、該本体部の一端側に備えられている本体端子は該円柱状部材の先端面に備えられており、位置決めは、円柱状部材の側面に沿う窪みを備えてもよい。この場合には、位置決め部が円柱状部材の側面に沿う窪みを備えることにより、利用者が本体部の一端側に備えられている円柱状部材を、該円柱状部材の側面に沿う位置決め部の窪みに沿って挿入し易くなるため、利用者は、本体部に対する他のコネクタの位置を早期に決定でき、本体部を他のコネクタに支持させるまでの負担をより軽減することができる。また、本体部が円柱状部材を該本体部の一端側に備え、位置決め部が該円柱状部材の側面に沿う窪みを備えることにより、本体部が該本体部の円柱状部材の円周方向に沿って回転可能となるため、利用者は、コネクタ又は他のコネクタを回転させることによりコネクタ又は他のコネクタに接続されている配線の捩れを容易に解消することができる。
【００１４】
上記発明においては円柱状部材の先端面は略半球状に形成されており、位置決め部は、円柱状部材の略半球状の先端面に沿う窪みを有してもよい。この場合には、位置決め部が円柱状部材の側面に沿う窪みを備えることにより、利用者が本体部の一端側に備えられている円柱状部材を、該円柱状部材の側面に沿う位置決め部の窪みに沿って挿入し、該円柱状部材の略半球状の先端面に沿う位置決め部の窪みに接触させた後に、本体部が支持部により他のコネクタに支持されるため、利用者は、本体部に対する他のコネクタの位置を早期に決定でき、本体部を他のコネクタに支持させるまでの負担をより軽減することができる。
【００１５】
上記発明においては支持部は、磁石と該磁石により磁気的に吸着される金属材料とを備えてもよい。この場合には、支持部が磁石に作用する吸着力により本体部を他のコネクタに支持することにより、本体部又は他のコネクタの双方には他のコネクタ又は本体部に吸着される方向に力が作用するため、利用者は、本体部と他のコネクタとを少ない力で結合させることができる。また、本体部が他のコネクタに支持されている場合に、該本体部に接続された配線が利用者の手・足等に引掛けられても、本体部が磁石に作用する吸着力により他のコネクタに支持されているため、本体部は他のコネクタから容易に外れることとなり、本体部及び他のコネクタが破損し難く、本体部が他のコネクタから外れた際の利用者への衝撃が軽減されることとなる。
【００１６】
上記発明においては本体部は、音の出力を調整可能な調整部を備えてもよい。この場合には、音の出力を調整可能な調整部が備えられることにより、利用者は、調整部を介して現在の音量を自己の好みに応じた音量に調整することができる。
【００１７】
上記発明においては本体部は、他のコネクタ側の略筒状の雌端子に嵌合する略棒状の雄端子を備えてもよい。この場合には、他のコネクタ側の端子が電子機器に内蔵されている従来型の略筒状の雌端子であっても、利用者は、本体部の略棒状の雄端子を他のコネクタ側の従来型の略筒状の雌端子に挿入することができる。
【００１８】
上記発明においては本体部は、他のコネクタ側の略棒状の雄端子に嵌合する略筒状の雌端子を備えてもよい。この場合には、他のコネクタ側の端子が従来型の略棒状の雄端子であっても、利用者は、他のコネクタ側の従来型の略棒状の雄端子を本体部の略筒状の雌端子に挿入することができる。
【００１９】
なお、上記発明においては他のコネクタは、電子機器に備えられてもよい。
【発明の効果】
【００２０】
本発明によれば、記録再生装置等の電子機器に備えられている特定端子から出力される情報を、複数の利用者が第３者に迷惑を掛けることなく知得可能な構造を持つことができる。
【発明を実施するための最良の形態】
【００２１】
（実施形態）
本実施形態におけるコネクタについて図面を参照しながら説明する。図１は、本実施形態におけるコネクタ１００ａ，１００ｂを示す側面図である。図２（ａ）は、図１に示す矢印Ａ側から見たコネクタ１００ａを示す正面図である。図２（ｂ）は、図１に示す矢印Ａ側から見たコネクタ１００ａを示す斜視図である。なお、コネクタ１００ａ，１００ｂは共に同一の構成であるため、以下ではコネクタ１００ａの構成のみについて説明する。
【００２２】
図１及び図２（ａ），（ｂ）に示すように、コネクタ１００ａは、他のコネクタ１００ｂに対して着脱可能に電気的に接続されるコネクタであって、本体部１１０ａを備えている。
【００２３】
本体部１１０ａは、本体部１１０ａの一端側１２０ａには円柱状部材１２１ａを備えている。この円柱状部材１２１ａの先端面１２２ａには、導電性材料からなる本体端子Ｔ１１ａ，Ｔ１２ａ，Ｔ１３ａが備えられている。本実施形態では、円柱状部材１２１ａの先端面１２２ａには、本体端子Ｔ１１ａが点状に形成され、本体端子Ｔ１２ａが本体端子Ｔ１１ａを中心とする同心円状に形成され、本体端子Ｔ１３ａが本体端子Ｔ１１ａを中心とし、且つ本体端子Ｔ１２ａよりも大きい同心円状に形成されている。
【００２４】
図３（ａ）は、図１に示す矢印Ｂ側から見たコネクタ１００ａを示す正面図である。図３（ｂ）は、図１に示す矢印Ｂ側から見たコネクタ１００ａを示す斜視図である。
【００２５】
図１及び図３（ａ），（ｂ）に示すように、本体部１１０ａは、本体部１１０ａの他端側１３０ａには窪み１３１ａ（位置決め部）を備えている。この窪み１３１ａは、コネクタ１００ｂの円柱状部材１２１ｂの側面に沿う形状を形成している。本実施形態における窪み１３１ａは、窪み１３１ａの底面１３２ａに備えられている本体端子Ｔ２１ａ，Ｔ２２ａ，Ｔ２３ａがコネクタ１００ｂの本体端子Ｔ１１ｂ，Ｔ１２ｂ，Ｔ１３ｂに接触可能な位置を決める形状を有している。
【００２６】
窪み１３１ａは、上記本体端子Ｔ２１ａ，Ｔ２２ａ，Ｔ２３ａと磁石１４０ａとを備えている。本体端子Ｔ２１ａ，Ｔ２２ａ，Ｔ２３ａは導電性材料を備えており、窪み１３１ａの底面１３２ａに対して出没可能に支持されている。この本体端子Ｔ２１ａは、コネクタ１００ｂの一端側１２０ｂに備えられている円柱状部材１２１ｂが窪み１３１ａに挿入された場合に、該円柱状部材１２１ｂの先端面１２２ｂに備えられている本体端子Ｔ１１ｂが接触可能な位置に備えられている（図３（ａ）に示すＰ１参照）。
【００２７】
また、本体端子Ｔ２２ａは、コネクタ１００ｂの一端側１２０ｂに備えられている円柱状部材１２１ｂが窪み１３１ａに挿入された場合に、該円柱状部材１２１ｂの先端面１２２ｂに備えられている本体端子Ｔ１２ｂが接触可能な位置に備えられている（図３（ａ）に示すＰ２参照）。さらに、本体端子Ｔ２３ａは、コネクタ１００ｂの一端側１２０ｂに備えられている円柱状部材１２１ｂが窪み１３１ａに挿入された場合に、該円柱状部材１２１ｂの先端面１２２ｂに備えられている本体端子Ｔ１３ｂが接触可能な位置に備えられている（図３（ａ）に示すＰ３参照）。
【００２８】
磁石１４０ａは、本体部１１０ａの他端側１３０ａに備えられている本体端子Ｔ２１ａ，Ｔ２２ａ，Ｔ２３ａをコネクタ１００ｂ側の本体端子Ｔ１１ｂ，Ｔ１２ｂ，Ｔ１３ｂに接触した状態で、本体部１１０ａをコネクタ１００ｂに対して着脱可能に支持する。具体的には、磁石１４０ａは、コネクタ１００ｂの円柱状部材１２１ｂの先端面１２２ｂに備えられている本体端子Ｔ１１ｂ，Ｔ１２ｂ，Ｔ１３ｂを吸着することにより、本体部１１０ａをコネクタ１００ｂに支持する。なお、本実施形態では、磁石１４０ａと本体端子Ｔ１１ｂ，Ｔ１２ｂ，Ｔ１３ｂとは支持部を構成している。
【００２９】
ここで、コネクタ１００ａがコネクタ１００ｂに接続されるまでの一例を説明する。先ず、コネクタ１００ｂの一端側１２０ｂに備えられた円柱状部材１２１ｂが、コネクタ１００ａの他端側１３０ａに備えられた窪み１３１ａに挿入される。そして、コネクタ１００ｂの円柱状部材１２１ｂの先端面１２２ｂに備えられている本体端子Ｔ１１ｂ，Ｔ１２ｂ，Ｔ１３ｂが、コネクタ１００ａの窪み１３１ａの底面１３２ａに備えられている磁石１４０ａに吸着され、それぞれに対応するコネクタ１００ａの本体端子Ｔ２１ａ，Ｔ２２ａ，Ｔ２３ａに接触される。
【００３０】
この場合に、本体端子Ｔ１１ｂ，Ｔ１２ｂ，Ｔ１３ｂのそれぞれは、点状に形成された電極を備える本体端子Ｔ２１ａ、同心円状に形成された円形電極を備える本体端子Ｔ２２ａ，Ｔ２３ａ上に配置されるため、コネクタ１００ａがコネクタ１００ｂに対してコネクタ１００ａの円周方向に回転されても、本体端子Ｔ１１ｂ，Ｔ１２ｂ，Ｔ１３ｂとそれぞれに対応する本体端子Ｔ２１ａ，Ｔ２２ａ，Ｔ２３ａとの接触状態はそのまま保持されることとなる。
【００３１】
図４は、本実施形態におけるコネクタ１００ａ及びそのコネクタ１００ａに接続されたヘッドホン装置２００ａの内部配線を示す図である。図４に示すように、コネクタ１００ａの一端側１２０ａに備えられている本体端子Ｔ１１ａ，Ｔ１２ａ，Ｔ１３ａのそれぞれは、コネクタ１００ａの他端側１３０ａに備えられている本体端子Ｔ２１ａ，Ｔ２２ａ，Ｔ２３ａに接続されている。
【００３２】
ヘッドホン装置２００ａに備えられている抵抗器Ｒ１は、左耳に装着されるイヤホンの抵抗器であり、その一端側が本体端子Ｔ１１ａ（Ｌ）に接続され、その他端側が本体端子Ｔ１３ａ（ＧＮＤ）に接続されている。同様にして、抵抗器Ｒ２は、右耳に装着されるイヤホンの抵抗器であり、その一端側が本体端子Ｔ１２ａ（Ｒ）に接続され、その他端側が本体端子Ｔ１３ａ（ＧＮＤ）に接続されている。
【００３３】
なお、コネクタ１００ａは、コネクタ１００ａの一端側１２０ａには円柱状部材１２１ａ及び本体端子Ｔ１１ａ，Ｔ１２ａ，Ｔ１３ａを備えずに、コネクタ１００ａの他端側１３０ａには窪み１３１ａ及び本体端子Ｔ２１ａ，Ｔ２２ａ，Ｔ２３ａを備えてもよい。また、逆にコネクタ１００ａは、コネクタ１００ａの一端側１２０ａには円柱状部材１２１ａ及び本体端子Ｔ１１ａ，Ｔ１２ａ，Ｔ１３ａを備え、コネクタ１００ａの他端側１３０ａには窪み１３１ａ及び本体端子Ｔ２１ａ，Ｔ２２ａ，Ｔ２３ａを備えなくてもよい。
【００３４】
このような本実施形態によれば、コネクタ１００ａ及びコネクタ１００ｂが連接されることにより、コネクタ１００ａに入力された信号が、コネクタ１００ａに接続された配線２０１ａを介して出力されるだけでなく、コネクタ１００ｂに接続された配線２０１ｂを介しても出力されるため、複数の利用者は、コネクタ１００ａ及びコネクタ１００ｂを介して電子機器の端子（図示せず）から出力される情報を、第３者に迷惑を掛けることなく知得することができる。
【００３５】
また、本体部１１０ａがコネクタ１００ｂに支持された場合に、本体部１１０ａの本体端子Ｔ２１ａ，Ｔ２２ａ，Ｔ２３ａがコネクタ１００ｂの本体端子Ｔ１１ｂ，Ｔ１２ｂ，Ｔ１３ｂの円形電極上に配置されることにより、本体部１１０ａがコネクタ１００ｂに対して回転されても、本体部１１０ａの本体端子Ｔ２１ａ，Ｔ２２ａ，Ｔ２３ａがコネクタ１００ｂの本体端子Ｔ１１ｂ，Ｔ１２ｂ，Ｔ１３ｂの円形電極上に常に配置されるため、利用者は、コネクタ１００ａ又はコネクタ１００ｂを回転させることによりコネクタ１００ａ又はコネクタ１００ｂに接続されている配線の捩れを容易に解消することができる。
【００３６】
また、本体部１１０ａがコネクタ１００ｂに支持される前に、本体部１１０ａの窪み１３１ａによりコネクタ１００ｂが位置決めされるため、利用者は、コネクタ１００ａに対するコネクタ１００ｂの位置を早期に決定でき、コネクタ１００ａをコネクタ１００ｂに支持させるまでの負担を軽減することができる。
【００３７】
特に、本体部１１０ａの窪み１３１ａが、コネクタ１００ｂの円柱状部材１２１ｂの側面に沿う形状を有することにより、利用者がコネクタ１００ｂの円柱状部材１２１ｂを、該円柱状部材１２１ｂの側面に沿う窪み１３１ａに沿って挿入し易くなるため、利用者は、コネクタ１００ａに対するコネクタ１００ｂの位置を早期に決定でき、コネクタ１００ａをコネクタ１００ｂに支持させるまでの負担を軽減することができる。また、コネクタ１００ｂの円柱状部材１２１ｂが、本体部１１０ａの窪み１３１ａに挿入されても、円柱状部材１２１ｂの円周方向に沿って回転可能となるため、利用者は、コネクタ１００ａ又はコネクタ１００ｂを回転させることによりコネクタ１００ａ又はコネクタ１００ｂに接続されている配線の捩れを容易に解消することができる。
【００３８】
さらに、磁石１４０ａに作用する吸着力により本体部１１０ａがコネクタ１００ｂに支持されることにより、本体部１１０ａ又はコネクタ１００ｂの双方には、コネクタ１００ｂ又は本体部１１０ａに吸着される方向に力が作用するため、利用者は、本体部１１０ａとコネクタ１００ｂとを少ない力で結合させることができる。
【００３９】
また、本体部１１０ａがコネクタ１００ｂに支持されている場合に、該本体部１１０ａに接続された配線２０１ａが利用者の手・足等に引掛けられても、本体部１１０ａが磁石１４０ａに作用する吸着力によりコネクタ１００ｂに支持されているため、本体部１１０ａはコネクタ１００ｂから容易に外れることとなり、本体部１１０ａ及びコネクタ１００ｂが破損し難く、本体部１１０ａがコネクタ１００ｂから外れた際の利用者への衝撃が軽減されることとなる。
【００４０】
（変更例１）
本実施形態におけるコネクタ１００ａは、次に示す調整部１５０ａを備えてもよい。なお、コネクタ１００ａ，１００ｂは共に同一の構成であるため、以下ではコネクタ１００ａの構成のみについて説明する。また、調整部１５０ａ以外の構成については上記実施形態及び下記変更例と同様であるため、詳細な説明は省略する。
【００４１】
図５は、本変更例におけるコネクタ１００ａを示す図である。図６は、本変更例におけるコネクタ１００ａ及びそのコネクタ１００ａに接続されたヘッドホン装置２００ａの内部配線を示す図である。
【００４２】
図５に示すように、本変更例における本体部１１０ａは、音の出力を調整可能な調整部１５０ａをさらに備えている。図６に示すように、調整部１５０ａは、可変抵抗器Ｒｃに接続されており、外部からの操作により可変抵抗器Ｒｃの値を変更する。この場合には、音の出力を調整可能な調整部１５０ａが備えられることにより、利用者は、調整部１５０ａを介して現在の音量を自己の好みに応じた音量に調整することができる。
【００４３】
なお、図６に示す可変抵抗器Ｒｃは、本体部１１０ａに備えられているが、図７に示すようにヘッドホン装置２００ａに備えられてもよい。また、調整部１５０ａは、可変抵抗器Ｒｃの値を変更することによりヘッドホン装置２００ａから出力される音量を調整しているが、電子機器（図示せず）から出力される画素の輝度（いわゆる、ＲＧＢ）を調整してもよい。
【００４４】
（変更例２）
本実施形態におけるコネクタ１００ａの円柱状部材１２１ａの先端面１２２ａ及び窪み１３１ａの底面１３２ａは、平坦に形成されているが、これに限定されることなく、次に示す形状に形成されてもよい。なお、コネクタ１００ａ，１００ｂは共に同一の構成であるため、以下ではコネクタ１００ａの構成のみについて説明する。また、本変更例に示すコネクタ１００ａの円柱状部材１２１ａの先端面１２３ａ及び窪み１３１ａの底面１３３ａ以外の構成については上記実施形態、上記変更例及び下記変更例と同様であるため、詳細な説明は省略する。
【００４５】
図８は、本変更例におけるコネクタ１００ａを示す図である。図８に示すように、コネクタ１００ａの円柱状部材１２１ａの先端面１２３ａは、略半球状に形成され、コネクタ１００ａの窪み１３１ａの底面１３３ａは、コネクタ１００ｂの円柱状部材１２１ｂの略半球状の先端面１２３ｂに沿う形状に形成されてもよい。この場合には、利用者がコネクタ１００ｂの円柱状部材１２１ｂをコネクタ１００ａの窪み１３１ａに沿って挿入し、該円柱状部材１２１ｂの略半球状の先端面１２３ｂに沿う窪みの底面１３２ａに接触させた後に、コネクタ１００ａがコネクタ１００ｂに支持されるため、利用者は、コネクタ１００ａに対するコネクタ１００ｂの位置をより早期に決定でき、コネクタ１００ａをコネクタ１００ｂに支持させるまでの負担をより軽減することができる。
【００４６】
（変更例３）
本実施形態におけるコネクタ１００ａは、雄端子Ｔ３を備えてもよい。なお、雄端子Ｔ３以外の構成については上記実施形態、上記変更例及び下記変更例と同様であるため、詳細な説明は省略する。
【００４７】
図９（ａ）は本変更例におけるコネクタ１００ａを示す図であり、図９（ｂ）は本変更例におけるコネクタ１００ａ及びそのコネクタ１００ａに接続されたヘッドホン装置２００の内部配線を示す図である。
【００４８】
図９（ａ）に示すように、コネクタ１００ａは、他のコネクタ側の略筒状の雌端子（図示せず）に嵌合する略棒状の雄端子Ｔ３を備えている。また、図９（ｂ）に示すように、雄端子Ｔ３は、上記本体端子Ｔ１１ａ，Ｔ１２ａ，Ｔ１３ａに対応する本体端子Ｔ３１，Ｔ３２，Ｔ３３から構成されている。この場合には、他のコネクタ側の雌端子（図示せず）が電子機器に内蔵されている従来型の略筒状の雌端子であっても、利用者は、コネクタ１００ａの雄端子Ｔ３を他のコネクタ側の従来型の略筒状の雌端子（図示せず）に挿入することができる。この結果、複数の利用者は、コネクタ１００ａ及びコネクタ１００ｂを介して電子機器の端子（図示せず）から出力される情報を、第３者に迷惑を掛けることなく知得することができる。
【００４９】
なお、本変更例では、コネクタ１００ａにヘッドホン装置２００ａが接続されているが、これに限定されることはなく、図９（ｃ）に示すように、コネクタ１００ａにヘッドホン装置２００ａが接続されなくてもよい。
【００５０】
（変更例４）
本実施形態におけるコネクタ１００ａは、雌端子Ｔ４を備えてもよい。なお、雌端子Ｔ４以外の構成については上記実施形態及び上記変更例と同様であるため、詳細な説明は省略する。
【００５１】
図１０（ａ）は本変更例におけるコネクタ１００ａを示す図であり、図１０（ｂ）は本変更例におけるコネクタ１００ａの内部配線を示す図である。
【００５２】
図１０（ａ）に示すように、コネクタ１００ａは、他のコネクタ側の略棒状の雄端子３００に嵌合する略筒状の雌端子Ｔ４を備えている。また、図９（ｂ）に示すように、雌端子Ｔ４は、本体端子Ｔ１１ａに接続された本体端子Ｔ４１、本体端子Ｔ１２ａに接続された本体端子Ｔ４２、本体端子Ｔ１３ａに接続された本体端子Ｔ４３から構成されている。この場合には、他のコネクタ側の雄端子３００が従来型の略棒状の雄端子であっても、利用者は、他のコネクタ側の従来型の雄端子３００をコネクタ１００ａの雌端子Ｔ４に挿入することができる。この結果、複数の利用者は、コネクタ１００ａ及びコネクタ１００ｂを介して電子機器の端子（図示せず）から出力される情報を、第３者に迷惑を掛けることなく知得することができる。
【００５３】
ここで、図１１は、電子機器１とヘッドホン装置２００ａ〜２００ｃとの接続を示す図である。図１１に示すように、電子機器１は、音楽、映像等に関する情報を記憶する情報記憶部２と、情報記憶部２により記憶された情報を出力する雌端子３とを備えている。コネクタ１００ａの雄端子Ｔ３が電子機器１の雌端子３に挿入されると、電子機器１の雌端子３から出力された信号が音としてヘッドホン装置２００ａから出力される。そして、コネクタ１００ｂがコネクタ１００ａに連接され、コネクタ１００ｃがコネクタ１００ｂに連接されることにより、電子機器１の雌端子３から出力された信号が音としてヘッドホン装置２００ｂ，２００ｃからも出力される。
【００５４】
以上、本発明の一例を説明したが、具体例を例示したに過ぎず、特に本発明を限定するものではなく、各部の具体的構成等は、適宜設計変更可能である。また、実施形態の構成及び各変更例の構成はそれぞれ組み合わせることが可能である。また、実施形態及び各変更例の作用及び効果は、本発明から生じる最も好適な作用及び効果を列挙したに過ぎず、本発明による作用及び効果は、実施形態及び各変更例に記載されたものに限定されるものではない。
【図面の簡単な説明】
【００５５】
【図１】本実施形態におけるコネクタを示す側面図である。
【図２】本実施形態におけるコネクタを示す正面図及びその斜視図である。
【図３】本実施形態におけるコネクタを示す背面図及びその斜視図である。
【図４】本実施形態におけるコネクタ及びそのコネクタに接続されたヘッドホン装置の内部配線を示す図である。
【図５】第１変更例における調整部を示す図である。
【図６】第１変更例におけるコネクタ及びそのコネクタに接続されたヘッドホン装置の内部配線を示す図である（その１）。
【図７】第１変更例におけるコネクタ及びそのコネクタに接続されたヘッドホン装置の内部配線を示す図である（その２）。
【図８】第２変更例におけるコネクタを示す図である。
【図９】第３変更例におけるコネクタ及びその内部配線を示す図である。
【図１０】第４変更例におけるコネクタ及びその内部配線を示す図である。
【図１１】電子機器とコネクタとの接続を示す図である。
【符号の説明】
【００５６】
１…電子機器、１００…コネクタ、２００…ヘッドホン装置
【図１】
2006210269.tif 000003
【図２】
2006210269.tif 000004
【図３】
2006210269.tif 000005
【図４】
2006210269.tif 000006
【図５】
2006210269.tif 000007
【図６】
2006210269.tif 000008
【図７】
2006210269.tif 000009
【図８】
2006210269.tif 000010
【図９】
2006210269.tif 000011
【図１０】
2006210269.tif 000012
【図１１】
2006210269.tif 000013